(57)【要約】【課題】  顔検索システムにおいて、検索の自由度を向上すること。【解決手段】  人物の顔画像を検索条件として、当該人物の画像を検索する顔画像検索装置は、複数の顔画像を検索条件として選択する選択手段（105、106）と、前記検索条件に基づいて画像を検索する検索手段（103、104、108、110）とを有する。【選択図】  図３
2006163527.tif 000002
【特許請求の範囲】
【請求項１】
人物の顔画像を検索条件として、当該人物の画像を検索する画像検索装置において、
複数の顔画像を検索条件として選択する選択手段と、
前記検索条件に基づいて画像を検索する検索手段と
を有することを特徴とする画像検索装置。
【請求項２】
前記検索手段は、前記選択手段により選択された複数の顔画像の人物のみを含む画像を検索することを特徴とする請求項１に記載の画像検索装置。
【請求項３】
前記検索手段は、前記選択手段により選択された複数の顔画像の人物を含む画像を検索することを特徴とする請求項１に記載の画像検索装置。
【請求項４】
前記検索手段は、前記選択手段により選択された複数の顔画像の人物の少なくともいずれか１人を含む画像を検索することを特徴とする請求項１に記載の画像検索装置。
【請求項５】
前記選択手段により選択された複数の顔画像の人物のみを含む画像を検索する第１の検索方法と、前記複数の顔画像の人物を含む画像を検索する第２の検索方法と、前記複数の顔画像の人物の少なくともいずれか１人を含む画像を検索する第３の検索方法のいずれかを選択する検索方法選択手段を更に有し、
前記検索手段は、前記検索方法選択手段により選択された第１乃至第３の検索方法のいずれかにより検索を行うことを特徴とする請求項１に記載の画像検索装置。
【請求項６】
前記検索手段は、
検索対象の各画像において、顔画像を検出する手段と、
前記検出した顔画像の特徴量を算出する手段と、
前記算出した特徴量に基づいて、当該顔画像に対応する人物を特定する手段と、
前記選択手段により選択された複数の顔画像の人物それぞれについて、前記特定された人物中に含まれるか否かを判断する手段と
を有することを特徴とする請求項１乃至５のいずれかに記載の画像検索装置。
【請求項７】
人物の顔画像を検索条件として、当該人物の画像を検索する画像検索方法において、
複数の顔画像を検索条件として選択する選択工程と、
前記検索条件に基づいて画像を検索する検索工程と
を有することを特徴とする画像検索方法。
【請求項８】
前記検索工程では、前記選択工程において選択された複数の顔画像の人物のみを含む画像を検索することを特徴とする請求項７に記載の画像検索方法。
【請求項９】
前記検索工程では、前記選択工程において選択された複数の顔画像の人物を含む画像を検索することを特徴とする請求項７に記載の画像検索方法。
【請求項１０】
前記検索工程では、前記選択工程において選択された複数の顔画像の人物の少なくともいずれか１人を含む画像を検索することを特徴とする請求項７に記載の画像検索方法。
【請求項１１】
前記選択工程において選択された複数の顔画像の人物のみを含む画像を検索する第１の検索方法と、前記複数の顔画像の人物を含む画像を検索する第２の検索方法と、前記複数の顔画像の人物の少なくともいずれか１人を含む画像を検索する第３の検索方法のいずれかを選択する検索方法選択工程を更に有し、
前記検索工程では、前記検索方法選択工程において選択された第１乃至第３の検索方法のいずれかにより検索を行うことを特徴とする請求項７に記載の画像検索方法。
【請求項１２】
前記検索工程では、
検索対象の各画像において、顔画像を検出する工程と、
前記検出した顔画像の特徴量を算出する工程と、
前記算出した特徴量に基づいて、当該顔画像に対応する人物を特定する工程と、
前記選択工程において選択された複数の顔画像の人物それぞれについて、前記特定された人物中に含まれるか否かを判断する工程と
を有することを特徴とする請求項１乃至５のいずれかに記載の画像検索装置。
【請求項１３】
情報処理装置が実行可能なプログラムであって、前記プログラムを実行した情報処理装置を、請求項１乃至６のいずれかに記載の画像検索装置として機能させることを特徴とするプログラム。
【請求項１４】
請求項７乃至１２のいずれかに記載の画像検索方法を実現するためのプログラムコードを有することを特徴とする情報処理装置が実行可能なプログラム。
【請求項１５】
請求項１３又は１４に記載のプログラムを記憶したことを特徴とする情報処理装置が読み取り可能な記憶媒体。
【発明の詳細な説明】
【技術分野】
【０００１】
本発明は、画像検索装置及び方法に関し、特に、人物の顔画像に基づいて、当該顔画像の人物を含む画像を検索する画像検索装置及び方法に関する。
【背景技術】
【０００２】
近来、撮影した顔画像を、あらかじめ記録した顔画像の特徴量と比較し、撮影した顔画像がどの人物のものかを識別する技術が進歩している。この技術は、たとえばセキュリティシステムにおける顔識別装置として実用化されている。
【０００３】
また、任意に撮影した画像から、顔画像領域を抽出し、その顔画像をあらかじめ記録した顔画像の特徴量と比較する技術も進歩している。この技術は、たとえば空港内などの風景を撮影した画像から、あらかじめ記録された指名手配犯の顔画像を認識するシステムなどに使用されている。
【０００４】
これらの技術は、デジタルカメラやデジタルビデオの普及により、一般のユーザが大量のデジタル画像データを保持するようになった今日、それらの画像を検索するための手段として注目されている。たとえば、ある特定の人物を指定すれば、記録されたデジタル画像データからその人物が写っている画像データだけを検索し、表示する顔検索システムが提案されている（例えば、特許文献１参照）。
【０００５】
【特許文献１】特開２００３ー１５０９３２号公報
【発明の開示】
【発明が解決しようとする課題】
【０００６】
しかし、上記の顔検索システムでは、検索キーとして一人の顔画像データしか指定できないためため、複数の人が同時に写っている写真を検索することができなかった。
【０００７】
本発明は上記問題点を鑑みてなされたものであり、顔検索システムにおいて、検索の自由度を向上することを目的とする。
【課題を解決するための手段】
【０００８】
上記目的を達成するために、人物の顔画像を検索条件として、当該人物の画像を検索する本発明の画像検索装置は、複数の顔画像を検索条件として選択する選択手段と、前記検索条件に基づいて画像を検索する検索手段とを有する。
【０００９】
また、人物の顔画像を検索条件として、当該人物の画像を検索する本発明の画像検索方法は、複数の顔画像を検索条件として選択する選択工程と、前記検索条件に基づいて画像を検索する検索工程とを有する。
【発明の効果】
【００１０】
本発明によれば、顔検索システムにおいて、検索の自由度を向上することができる。
【発明を実施するための最良の形態】
【００１１】
以下、添付図面を参照して本発明を実施するための最良の形態を詳細に説明する。
【００１２】
図１は本発明の実施の形態において顔画像検索装置として使用する一般的なパーソナルコンピュータ（以下、「ＰＣ」）600のブロック図である。図１において、601は中央演算装置（ＣＰＵ）、602はメインメモリ、603はメインバス611と周辺バス612のブリッジ部、604は表示部であり、ブリッジ部603とはグラフィックポートで接続されている。605は周辺バスに接続された二次記憶装置であり、本実施の形態ではハードディスクドライブとする。606は入力部であり、例えば、キーボード、マウス、タッチパネルなどを用いることができる。607はネットワークインターフェース（Ｉ／Ｆ）である。
【００１３】
本実施の形態では、ＰＣ600上でＯＳ（オペレーティングシステム）が動作する。ＯＳのプログラムは、ＨＤＤ605に記憶されており、システムの電源投入後、メインメモリ602にロードされてＣＰＵ601で順次処理され、ブリッジ部603、表示部604、ＨＤＤ605、入力部606、ネットワークＩ／Ｆ607を制御することにより、ユーザにサービスを提供する。本実施の形態の画像検索プログラムはこのＰＣ600上のＯＳ上で動作する。
【００１４】
図２及び図３は、本実施の形態における顔画像検索装置の機能構成及びデータの流れを示すブロック図である。説明のため、２つの図に分けて描いているが、実際には、例えば図１に示すＰＣ600により実現される一つの装置である。
【００１５】
図２は、新しいデジタル画像データを本実施の形態の顔画像検索装置に入力する場合に必要な構成部分を示す。図２において、101は、デジタル画像データを入力するための画像入力部である。画像入力部101は、メモリや二次記憶装置上にあるデジタル画像データを入力するものであってもよいし、デジタルカメラやデジタルビデオ、スキャナなどの外部機器からアナログまたはデジタルインタフェースを介してデジタル画像データを入力するものであっても構わない。
【００１６】
102は、画像入力部101から入力されたデジタル画像データを記録するための第１記録部である。画像入力部101によって入力されたデジタル画像データがメモリや二次記憶装置上にある場合には、第１記録部102では、デジタル画像データそのものを記録する必要はなく、メモリ上のポインタ、あるいは二次記憶装置上のファイル名を記録する方式であっても構わない。なお、第１記録部102は、実際にはメモリあるいは二次記憶装置から構成される。
【００１７】
103は、画像入力部101から入力されたデジタル画像データから、顔画像領域を抽出する顔画像領域検出部である。顔画像の領域を検出する方法としては、デジタル画像データに対して、画像の色データと、あらかじめ用意された顔認識色データを比較することによって顔画像の領域を検出する方法や、顔型のグラフを画像に当てはめ、当てはまる部分を顔画像と認識する方法があるが、勿論それ以外の方法であっても構わない。顔画像領域検出部103は、実際にはＣＰＵおよびメモリから構成される。
【００１８】
104は、顔画像領域検出部103によって検出された顔画像領域に対して、その特徴量を算出する特徴量算出部である。この特徴量とは顔画像ごとに異なるもので、２枚の顔画像を比べたときに、それが同一人物か否かを判断するために用いられる。特徴量検出部104は、実際にはＣＰＵおよびメモリから構成される。
【００１９】
105は、画面に表示され、ユーザに情報を提示したりユーザからの支持を受けたりするユーザインタフェース（ＵＩ）部である。顔画像領域検出部103によって検出された顔画像は、一旦ＵＩ部105に表示される。ＵＩ部105は、実際にはモニタであることが多い。
【００２０】
106は、ユーザがＵＩ部105に対して指示を出すための操作部である。ＵＩ部105に表示された顔画像に対して、ユーザはその顔の人名を操作部106を用いて装置に入力する。人名の入力方法としては、あらかじめ装置が記録している人名の一覧を表示し、ユーザがその中から選択したり、装置が記録していない新しい人名をユーザが新たに入力することもできる。操作部106は、実際にはキーボード、マウス、タッチパネルなどから構成される。
【００２１】
107は、顔画像領域検出部103が検出した顔画像、特徴量算出部104が算出した該顔画像の特徴量、およびユーザが操作部106で入力した該顔画像の人名を記録する第２記録部である。第２記録部107は、実際にはメモリあるいは二次記憶装置から構成される。
【００２２】
図３は、第２記録部107に記録された顔画像をキーにして、第１記録部102から該顔画像を含むデジタル画像データを検索する場合に必要な構成部分を示す。本実施の形態では、ツーショット検索（選択されたふたりの顔のみが含まれているデジタル画像データを検索する）か、そうでない検索（選択されたふたりの顔が含まれていれば、他の人の顔があってもよい）かを指定することができる。また、ツーショット検索でない検索を行う場合、ふたりの顔が両方含まれている画像を検索するか、ふたりの顔のどちらかが含まれている画像を検索するかを選択することもできる。ＵＩ部105におけるこの仕組みについては、後に詳述する。
【００２３】
まず、ユーザによって、操作部106より、ＵＩ部105に対して検索条件が選択され、検索を行うことを指示されると、顔画像領域検出部103は第１記録部102内のデジタル画像データを１枚取り出し、取り出したデジタル画像データに含まれる顔画像を順に検出し、特徴量算出部104によってそれぞれの顔画像の特徴量を算出する。その特徴量を、特徴量比較部108によって、第２記録部107に記録された人物の特徴量と比較し、該デジタル画像データに含まれている顔画像がそれぞれ誰の顔かを調べて、その人名を第３記録部109に記録する。この時、特徴量比較部108では特徴量を比較した結果、どの程度特徴が一致したのかを示す類似度を、その人名とリンクして第３記録部109に記録する。ここで類似度は、特徴量を表現する特徴量空間内での２つの特徴量間の距離で表すことができ、距離が小さいほど類似度が高いことを意味する。
【００２４】
判断部110は、該デジタル画像データが検索条件に適合するかどうかを判断し、検索条件に適合すれば、該デジタル画像データをＵＩ部105に表示する。判断部110の詳しい動作については後述する。
【００２５】
上記の動作を、第１記録部102内のすべてのデジタル画像データに対して行うことで、検索を行う。なお、特徴量比較部108および判断部110は実際にはＣＰＵとメモリから、第３記録部109は実際にはメモリあるいは二次記憶装置から構成される。
【００２６】
図４は、本実施の形態における画像検索時のユーザインタフェース（ＵＩ）の一例を示す図である。
【００２７】
501は、第２記録部107に記録されている人物の顔画像を表示する領域であり、これらの顔画像の中から２枚を選択できるようになっている。なお、選択された顔画像は、フレームが太くなって強調表示される。502は、ツーショット検索（すなわち、第１記録部102に記録されているユーザが撮影した画像のうち、領域501に表示された顔画像の中から選択したふたりだけが写っている画像を検索する）か、ふたり以外の人も写っている画像を検索するかを指定するチェックボックスである。503は、502がチェックされていないとき（すなわち、領域501に表示された顔画像の中から選択したふたりが写っている画像を選択するとき）、ふたり共写っている画像を選択するか、ふたりのうちどちらかが写っている画像を選択するかを指定するラジオボタンである。図４では、チェックボックス502がチェックされているので、ラジオボタン503はグレイアウトしている。
【００２８】
506は、ツーショット検索の場合、指定した二人のうち、どちらをより優先して検索するかを指定する調整スライダである。たとえば、二人のうちＡさんを優先して検索指定したい場合は、スライダをＡさん側に設定する。そうすると、検索対象画像の中からよりＡさんらしく写っている画像が検索される。このＡさんらいしかどうかの判定には類似度を用い、内部処理としては、Ａさんにより類似度が高い画像のみを検索結果として出力することになる。504は検索開始を指示するボタンである。ボタン504を押すと、501〜503、及び506で指定した条件のデジタル画像データが第１記録部102から検索され、領域505に表示される。
【００２９】
次に、図５および図６のフローチャートを参照して、顔画像検索装置の詳しい動作について説明する。
【００３０】
図５は、新たにデジタル画像データを入力するときの動作を示すフローチャートである。まず、ステップS301で、画像入力部101よりデジタル画像データが入力されると、ステップS302で、入力されたデジタル画像データを第１記録部102に記録する。ただし、前述したように、メモリまたは二次記憶内のデジタル画像データを入力する場合は、デジタル画像データを第１記録部102に記録する代わりに、デジタル画像データのメモリ上のアドレスやファイルシステム上のパス名を記録するようにしても構わない。
【００３１】
次にステップS303に進み、顔画像領域検出部103で、顔画像領域を検出する。もし、新しい顔画像領域が見つからないようなら、本動作を終了する。新しい顔画像領域があれば、ステップS304に進み、特徴量算出部104を用いて検出した顔画像の特徴量を算出する。次にステップS305に進み、該顔画像をＵＩ部105に表示して、ユーザに該顔画像の人名を入力させる。人名の入力方法としては、前述したように、あらかじめ顔画像検索装置が記録している人名の一覧を表示し、ユーザがその中から選択することも、装置が記録していない新しい人名をユーザが新たに入力することもできる。
【００３２】
そしてステップS306に進み、顔画像領域検出部103が検出した顔画像、特徴量算出部104が算出した該顔画像の特徴量、およびユーザが操作部106で入力した該顔画像の人名を第２記録部107に記録する。一般に、ひとつの人名に対して、複数の顔画像および特徴量が対応する。そして、ステップS303に戻り、新しい顔画像領域が検出できるかどうかを顔画像領域検出部103を用いて調べる。
【００３３】
以上は、1枚のデジタル画像データを本顔画像検索装置に入力するときの動作について説明したものである。複数のデジタル画像データを入力する場合は、各デジタル画像データについて、上記の動作を行えばよい。
【００３４】
図６は、本顔画像検索装置において顔検索を行うときの動作を表すフローチャートである。
【００３５】
まずステップS401で、第１記録部102にまだ調べていないデジタル画像データがあるかどうかを調べる。もしなければ、本顔検索の動作は終了する。
【００３６】
もし、まだ調べていないデジタル画像データがあれば、ステップS402に進み、顔画像領域検出部103によって、第１記録部102から読み出したデジタル画像データに未検出の顔画像領域があるかどうかを調べる。もし未検出の顔画像領域があれば、ステップS403で顔画像領域検出部103によって顔画像領域を検出し、ステップS404で特徴量算出部104によって特徴量を算出する。
【００３７】
そして、ステップS405において、算出した特徴量と、第２記録部107に記録されている特徴量とを比較して、特徴量の類似度を算出し、該顔画像領域の顔画像の人名を調べる。もし、第２記録部107に記録されている特徴量と一致しなければ、仮の人名をつける。そしてステップS406に進み、その人名を第３記録部109に記録し、ステップS402に戻る。
【００３８】
ステップS402において、該デジタル画像データのすべての顔画像領域を検出したと判断された場合は、ステップS407に進んで、図４のチェックボックス502がチェックされているかどうか（つまりツーショット検索を行うかどうか）を調べる。ツーショット検索が指定されていれば、ステップS408に進み、図４の領域501に表示された顔画像の中から選択した人物の片方の人名（仮に「Ａさん」と呼ぶ。）を第２記録部107から検索し、その人名が第３記録部109に記録されているかどうかを調べる。ここで同時に前述の類似度の比較も行う。もし記録されていなければ、あるいは類似度がスライダの指定より小さければ、ツーショット検索にもかかわらず、片方の人物が該デジタル画像データには写っていないということなので、ステップS401に戻り、次のデジタル画像データがあるかどうかを調べる。
【００３９】
一方、第３記録部109に「Aさん」が記録されていればステップS409に進み、図４の領域501に表示された顔画像の中から選択したもう片方の人物の人名（仮に「Ｂさん」と呼ぶ。）を第２記録部107から検索し、その人名が第３記録部109に記録されているかどうかを調べる。もし記録されていなければ、あるいは類似度がスライダの指定より小さければ、ツーショット検索にもかかわらず、片方の人物が該デジタル画像データには写っていないということなので、ステップS401に戻り、次のデジタル画像データがあるかどうかを調べる。
【００４０】
ステップS409で「Ｂさん」の人名が第３記録部109に記録されていれば、ステップS410に進み、第３記録部109に「Ａさん」「Ｂさん」以外の人名が記録されているかどうかを調べる。もし記録されていれば、ツーショット検索にもかかわらず「Ａさん」「Ｂさん」以外の第三者が写っているということなので、ステップS401に戻り、次のデジタル画像データがあるかどうかを調べる。また、もし記録されていなければ、ステップS411に進み、ＵＩ部105の検索結果表示部、つまり図４の領域505に、該デジタル画像データを表示する。そして、ステップS401に戻り、次のデジタル画像データがあるかどうかを調べる。
【００４１】
一方、ステップS407において、図４のチェックボックス502がチェックされていなければ（つまりツーショット検索が指定されていなければ）、ステップS412に進み、第３記録部109に「Ａさん」が記録されているかどうかを調べる。もし記録されていればステップS413に進み、図４のラジオボタン503により選択された検索条件が「ふたりとも写っている」（つまり「AND」）であるか「どちらかが写っている」（つまり「OR」）であるかを調べる。もし「AND」でなければ、該デジタル画像データは「（ＡさんとＢさんの）どちかが写っている」という条件を満たすので、ステップS411に進み、UI部105の検索結果表示部、つまり図４の領域505に、該デジタル画像データを表示する。そして、ステップS401に戻り、次のデジタル画像データがあるかどうかを調べる。
【００４２】
また、ステップS413で検索条件が「AND」ならば、ステップS414に進み、第３記録部109に「Ｂさん」が記録されているかどうかを調べる。もし記録されていれば、「ＡさんとＢさんの両方が写っている」という条件を満たすので、ステップS411に進み、ＵＩ部105の検索結果表示部、つまり図４の領域505に、該デジタル画像データを表示する。そして、ステップS401に戻り、次のデジタル画像データがあるかどうかを調べる。また、もしステップS414で、第３記録部109に「Ｂさん」が記録されていなければ、「ＡさんとＢさんの両方が写っている」という条件を満たさないので、ステップS401に戻り、次のデジタル画像データがあるかどうかを調べる。
【００４３】
また、ステップS412で、第３記録部109に「Ａさん」が記録されていなければ、ステップS415に進んで、図４のラジオボタン503により選択された検索条件を調べる。もし検索条件が「AND」ならば、「ＡさんとＢさんが写っている」という条件を満たさないので、ステップS401に戻り、次のデジタル画像データがあるかどうかを調べる。また、もし検索条件が「AND」でなければ、ステップS416に進み、第３記録部109に「Ｂさん」が記録されているかどうかを調べる。もし記録されていれば、「（ＡさんとＢさんの）どちかが写っている」という条件を満たすので、ステップS411に進み、ＵＩ部105の検索結果表示部、つまり図４の領域505に、該デジタル画像データを表示する。そして、ステップS401に戻り、次のデジタル画像データがあるかどうかを調べる。また、もし記録されていなければ、「ＡさんもＢさんも写っていない」ということなので、ステップS401に戻り、次のデジタル画像データがあるかどうかを調べる。
【００４４】
そして、ステップS401で、第１記録部102のすべてのデジタル画像データを調べ終えたと判断されれば、顔画像の検索動作は終了する。
【００４５】
なお、本実施の形態では、検索に使用するキーが２枚の顔画像である場合について説明したが、３枚以上の任意の枚数の顔画像をキーとするような装置にすることも可能である。
【００４６】
また、本実施の形態では、図４に示すようなＵＩを用いたが、実際にはこれに限られるものではない。たとえば、ＵＩ次第では、「Ａさんが写っていないデジタル画像データを検索する」や、「Ａさんが写っていてＢさんが写っていないデジタル画像データを検索する」と言った検索も可能である。また、本実施の形態のようにＧＵＩ（グラフィカルユーザインタフェース）を用いるのではなく、ＳＱＬなどのデータベース検索言語などを用いれば、さらに多岐にわたる検索が可能となる。
【００４７】
上記の通り、本実施の形態によれば、検索キーとして複数の顔画像データを指定できるため、検索の自由度が広がり、より高機能で使いやすい顔画像検索装置を提供することができる。
【００４８】
＜他の実施形態＞
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００４９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【図面の簡単な説明】
【００５０】
【図１】本発明の実施の形態の顔画像検索装置を実現するハードウェアの構成を示すブロック図である。
【図２】本発明の実施の形態における顔画像検索装置の画像入力時の機能構成及びデータの流れを示すブロック図である。
【図３】本発明の実施の形態における顔画像検索装置の画像検索時の機能構成及びデータの流れを示すブロック図である。
【図４】本発明の実施の形態における画像検索時のユーザインタフェースの一例を示す図である。
【図５】本発明の実施の形態における顔画像検索装置の画像入力時の動作を表すフローチャートである。
【図６】本発明の実施の形態における顔画像検索装置の画像検索時の動作を表すフローチャートである。
【符号の説明】
【００５１】
101  画像入力部
102  第１記録部
103  顔画像領域検出部
104  特徴量算出部
105  ユーザインタフェース部
106  操作部
107  第２記録部
108  特徴量比較部
109  第３記録部
110  判断部
【図１】
2006163527.tif 000003
【図２】
2006163527.tif 000004
【図３】
2006163527.tif 000005
【図４】
2006163527.tif 000006
【図５】
2006163527.tif 000007
【図６】
2006163527.tif 000008